(57)【要約】【課題】本願発明の課題は、従来の問題を解決することであり、すなわち、壁面に手摺が設置されたリハビリ室において、訓練等の障害とならないよう広いスペースを確保したうえで、記録作業を行うためのＰＣ用テーブルを常設することができる、回転テーブル付き手摺を提供することである。【解決手段】本願発明の回転テーブル付き手摺は、少なくとも手摺とテーブル、そしてテーブル支持体を備えたものである。手摺は、例えばリハビリ室の壁面などに水平に配設される。テーブルは、少なくとも天板と係止具によって構成され、天板の２箇所以上に係止具が固定される。テーブル支持体は、天板の下方から支えるものであり、テーブル上の作業を安定させる。なお、手摺の断面形状は円形であり、手摺の外周を覆うように係止具は装着される。その結果、テーブルは手摺に取り付けられ、しかもテーブルは手摺の軸周りに回転可能となる。【選択図】図１
2015124507.tif 000002
【特許請求の範囲】
【請求項１】
回転テーブルを具備する手摺であって、
水平又は略水平に配設された手摺と、
天板及び係止具を含み、該天板の２箇所以上に該係止具が固定されたテーブルと、
前記天板を支持するテーブル支持体と、を備え、
前記手摺の断面形状は、円形又は略円形であり、
前記係止具が前記手摺の外周に係止されることによって、前記テーブルが前記手摺の軸周りに回転可能に取り付けられた、ことを特徴とする回転テーブル付き手摺。
【請求項２】
回転テーブルを具備する手摺であって、
水平又は略水平に配設された手摺と、
天板及び係止具を含み、該天板の２箇所以上に該係止具が固定されたテーブルと、
前記天板を支持するテーブル支持体と、を備え、
前記係止具の断面形状は、円形又は略円形であり、
前記係止具が前記手摺の一部に内挿されることによって、前記テーブルが前記手摺の軸周りに回転可能に取り付けられた、ことを特徴とする回転テーブル付き手摺。
【請求項３】
２か所以上で前記手摺を支持する手摺受け体を、さらに備え、
前記テーブル支持体は、前記手摺受け体に取り付けられるとともに、鉛直又は略鉛直軸周りに回転可能である、ことを特徴とする請求項１又は請求項２記載の回転テーブル付き手摺。
【請求項４】
前記テーブル支持体の一部に凸部が設けられるとともに、前記天板の背面に溝部が設けられ、
前記テーブル支持体が前記天板を支持するときは、前記凸部が前記溝部に嵌合する、ことを特徴とする請求項１乃至請求項３のいずれかに記載の回転テーブル付き手摺。
【請求項５】
前記手摺の内部にはケーブルを収容する収容空間が設けられるとともに、前記手摺の一部に該ケーブルの端部を取り出すケーブル孔が設けられた、ことを特徴とする請求項１乃至請求項４のいずれかに記載の回転テーブル付き手摺。
【発明の詳細な説明】
【技術分野】
【０００１】
本願発明は、病院等のリハビリテーション室（以下、「リハビリ室」という。）に設置される手摺に関するものであり、より具体的には、手摺を軸として回転するテーブルを備えた回転テーブル付き手摺に関するものである。
【背景技術】
【０００２】
病院や診療所には、歩行訓練をはじめ種々の訓練を行うためのリハビリ室が設けられることがある。このリハビリ室は、その目的から障害物のない広いスペースが必要であるとともに、例えば歩行訓練を補助するための設備が設置される。歩行訓練のための代表的な補助設備が手摺であり、患者が歩行する際の支えとなるよう概ね床から１ｍの高さで壁面沿いに設置される。
【０００３】
リハビリ室で行われる訓練には病院等のスタッフが付き添い、患者の訓練状況や体調等を観察するとともに、その結果を日々記録している。記録に当たっては所定の用紙に記載することもあるが、昨今ではパーソナルコンピュータ（以下、「ＰＣ」という。）に入力するのが主流となっている。いずれにしろ、スタッフの記録作業はリハビリ室で行われるが、広いスペースを確保するため事務机などが常設されることは少なく、その都度倉庫等から机を搬入して記録するか、床上や膝上で記録作業を行うのが一般的であった。このような記録作業が毎日のように行われることは、スタッフの肉体的負担を強いるばかりでなく、作業効率上も好ましくない。
【０００４】
広いスペースを確保したうえでリハビリ室にＰＣ用テーブルを常設することを考えた場合、不使用時には訓練の障害とならないよう容易にＰＣ用テーブルを格納できる手段が想定される。例えば特許文献１では、井桁状パンタグラフ構造の伸縮部を設け、不使用時には場所を取らないよう収納できるパソコン台を提案している。しかしながらリハビリ室の場合、このようなパソコン台を設置するには壁面を利用するよりないが、既述のとおり壁面には手摺が設置されており、手摺の利用を考えると壁面に他の設備を取り付けることはできない。また、特許文献２では、ユニットルーム内のスペースを狭めることなく壁面にカウンターを取り付ける技術を提案しており、さらにカウンターを支える支持材を設け、この支持材を手摺として兼用することを提案している。
【先行技術文献】
【特許文献】
【０００５】
【特許文献１】特開２０１１−１６７４７９号公報
【特許文献２】特開平０７−１０２７９８号公報
【発明の概要】
【発明が解決しようとする課題】
【０００６】
特許文献２は、手摺を利用してカウンターを設置するものであるが、この手摺はカウンターを支えるものであり当然ながら上下方向に向いて設置されている。したがって、リハビリ室の壁面に水平方向に設置される手摺に、この技術を利用することはできない。換言すれば、壁面に手摺が設置されたリハビリ室において、記録作業を行うためのテーブル等を常設することができる技術とはいえない。
【０００７】
本願発明の課題は、従来の問題を解決することであり、すなわち、壁面に手摺が設置されたリハビリ室において、訓練等の障害とならないよう広いスペースを確保したうえで、記録作業を行うためのＰＣ用テーブルを常設することができる、回転テーブル付き手摺を提供することである。
【課題を解決するための手段】
【０００８】
本願発明は、手摺としての本来の機能を活かしつつ、テーブルを回転させるための回転軸としても手摺を利用する、というこれまでにない発想に基づいて行われたものである。
【０００９】
本願発明の回転テーブル付き手摺は、少なくとも手摺とテーブル、そしてテーブル支持体を備えたものである。手摺は、例えばリハビリ室の壁面などに水平（略水平含む。以下、同じ。）に配設される。テーブルは、少なくとも天板と係止具によって構成され、天板の２箇所以上に係止具が固定される。テーブル支持体は、天板の下方から支えるものであり、テーブル上の作業を安定させる。なお、手摺の断面形状は円形（略円形含む。以下、同じ。）であり、手摺の外周を覆うように係止具は装着される。その結果、テーブルは手摺に取り付けられ、しかもテーブルは手摺の軸周りに回転可能となる。
【００１０】
本願発明の回転テーブル付き手摺は、その断面形状が円形の係止具を備えたものとすることもできる。この場合、係止具は手摺の一部に内挿されて装着される。その結果、テーブルは手摺に取り付けられ、しかもテーブルは手摺の軸周りに回転可能となる。
【００１１】
本願発明の回転テーブル付き手摺は、２か所以上で手摺を支持する手摺受け体を備えたものとすることもできる。この場合、テーブル支持体は手摺受け体に取り付けられ、しかも鉛直（略鉛直含む。以下同じ。）軸周りに回転可能に取り付けられる。
【００１２】
本願発明の回転テーブル付き手摺は、テーブル支持体の一部に凸部が設けられ、天板の背面に溝部が設けられたものとすることもできる。この場合、テーブル支持体が天板を支持するときはテーブル支持体の凸部が天板の溝部に嵌合し、テーブル支持体の凸部が水平方向のストッパーとして機能する。
【００１３】
本願発明の回転テーブル付き手摺は、手摺の内部に収容空間が設けられたものとすることもできる。この収容空間には、電源ケーブルやＬＡＮケーブルを収容することができ、テーブル上でＰＣ作業をする際に、これらのケーブルが利用される。したがって、手摺には所々ケーブル端子を取り出すためのケーブル孔が設けられる。
【発明の効果】
【００１４】
本願発明の回転テーブル付き手摺には、次のような効果がある。
（１）テーブルを使用しないときは、手摺の下方に垂下させておくことができるので、余分なスペースを必要とせず、例えば手摺を利用した歩行訓練なども円滑に実施することができる。
（２）テーブルが水平姿勢となるまで回転させテーブル支持体で受けるだけで、容易かつ速やかにＰＣ作業用のテーブルを形成することができる。その結果、例えばリハビリ室にテーブルを用意するスタッフにとって、従来に比べ著しくその労力が軽減されるとともに、診療記録の作業等が極めて効率的となる。
（３）手摺内の収容空間にケーブルを収容すれば、室内の美観を損なわないうえに、これまで以上にＰＣが使いやすくなる。
【図面の簡単な説明】
【００１５】
【図１】（ａ）は本願発明の回転テーブル付き手摺が設置されたリハビリ室においてテーブルを使用していないときの斜視図、（ｂ）はテーブルをセットしたときの斜視図。
【図２】（ａ）はテーブルを水平姿勢にした状態の詳細を示す斜視図、（ｂ）はテーブルを除いた状態でありテーブル支持体と手摺受け体示す斜視図。
【図３】テーブルの回転動作を示す、本願発明の回転テーブル付き手摺の断面図。
【図４】本願発明の回転テーブル付き手摺を上方から見た平面図。
【図５】係止具を手摺に内挿したテーブルを示す斜視図。
【図６】（ａ）はテーブルが水平姿勢となった状態で本願発明の回転テーブル付き手摺を上方から見た平面図、（ｂ）は下方から見た底面図、（ｃ）は右横から見た右側面図。
【図７】（ａ）はテーブルが水平姿勢となった状態で本願発明の回転テーブル付き手摺を正面から見た正面図、（ｂ）は後方から見た背面図、（ｃ）は（ａ）に示すＡ−Ａ矢視の断面図。
【図８】テーブルを下方に垂下させた状態の断面図。
【図９】テーブルの使用状態を示す参考図。
【発明を実施するための形態】
【００１６】
本願発明の回転テーブル付き手摺の例を図に基づいて説明する。
【００１７】
１．全体概要
図１は、本願発明の回転テーブル付き手摺１０が設置されたリハビリ室を示す斜視図であり、（ａ）はテーブルを使用していないときの図で、（ｂ）がテーブルをセットしたときの図である。図１（ａ）では、手摺２０の下方にテーブル３０が垂下して収められ、テーブル３０が室内スペースの障害となっていないことが分かる。しかも、手摺２０がテーブル３０に隠れることがないため、通常どおり手摺２０を利用することができる。一方、図１（ｂ）では、テーブル３０が水平姿勢を保ち、病院スタッフがテーブル３０上でＰＣ操作を行っている。このテーブル３０は、垂下した状態から水平姿勢まで回転させたものであり、すなわち、他室から事務机等を運び入れることなく容易かつ速やかにＰＣ操作用のスペースを確保することができる。なお、テーブル３０の回転動作は、手摺２０を回転軸としている。
【００１８】
以下、本願発明を構成する主要な要素ごとに詳述する。
【００１９】
２．手摺
手摺２０は、断面寸法に比して軸方向が長い管状（中空）あるいは棒状（中実）のものである。また、手摺２０は、例えば歩行訓練者を補助するものであって、歩行者が手に持ちやすいよう床から約１ｍの高さで、歩行方向つまり水平方向に伸びるように設置される。なお、手で握りやすいよう手摺２０の断面形状は円形とすると良い。
【００２０】
図１に示すように、リハビリ室などの壁面に手摺２０を固定することもできるし、自立型の支柱などに手摺２０を固定することもできる。いずれにしろ手摺２０は、軸方向が水平方向となる姿勢で、所定の間隔をもって数カ所（少なくとも２箇所）で支持される。この手摺２０を支持するのが、図２（ｂ）に示す手摺受け体２１である。手摺受け体２１は、手摺２０を受ける受け部２１ａと、この受け部２１ａを支持する支持板２１ｂ、壁面などに固定するための当て板２１ｃで構成される。支持板２１ｂは当て板２１ｃに突き当てられた状態で固定されており、当て板２１ｃに設けられたボルト孔などを利用してこの当て板２１ｃが壁面等に取り付けられ、その結果手摺受け体２１が壁面に固定される。受け部２１ａは、手摺２０を直接載せるものであり、手摺２０の断面形状の一部に合わせ、例えば断面視で円弧形状とするのが望ましい。なお、ここで説明した手摺受け体２１の構成はあくまで一例であって、水平姿勢の手摺２０を数カ所で支持できるものであれば種々の構造のものを利用できる。
【００２１】
手摺２０は、長い棒状あるいは管状であると説明したが、テーブル３０がＰＣ操作用のスペースになることを考えれば、管状の手摺２０とする方がより好適となる。なぜなら、手摺２０の中空部分を収容空間とし、この収容空間内にＰＣ操作に利用される電源ケーブルやＬＡＮケーブルを挿入しておけば、ＰＣ操作がより便宜になるからである。したがってこの場合、手摺２０のうち数カ所には、ＬＡＮケーブルの端子等を取り出すためのケーブル孔が設けられる。
【００２２】
３．テーブル
図３は、テーブル３０の回転動作を示す、回転テーブル付き手摺１０の断面図である。この図に示すようにテーブル３０は、天板３１と、この天板３１を手摺２０に取り付けるための係止具３２を備えている。
【００２３】
（天板）
天板３１は、概ね長方形の板であり、その長辺方向が手摺２０の軸方向となるよう配置される。また天板３１は、例えばＰＣ操作用のスペースを確保するため相当の面積を有するが、回転操作を容易にするため軽量であることが望ましい。そのため、天板３１の長さ（手摺２０の軸方向の寸法）や、幅（手摺２０の軸方向に対して垂直方向の寸法）、板厚は、スペースと重量を勘案して適切に設計される。例えば、長さが２ｍ程度、幅が３０ｃｍ程度、板厚が３ｃｍ程度の天板３１が例示できる。なお、一般的に手摺２０の長さ（軸方向寸法）は一つの天板３１の長さよりも長いので、この場合は図４に示すように一つの手摺２０に対して複数のテーブル３０が取り付けられる。
【００２４】
（係止具）
係止具３２は、図２（ａ）に示すように、手摺２０に係止するものであり、これによって天板３１を手摺２０に取り付けることができる。また係止具３２は、天板３１の回転を自由にするため、手摺２０の外周を巻く（被せる）ように係止される。そのため係止具３２は、内径が手摺２０の外径より若干大きな円形あるいは部分的な円形（円弧形状）であって、中空の管あるいは管の一部（断面視で円弧形状）となっている。
【００２５】
図４の平面図に示すように、天板３１のうち長辺側（図では左側）に複数（図では３つ）の係止具３２が固定されている。一つの天板３１に固定する係止具３２の数は、天板３１の重量や手摺２０の強度に応じて適宜設計することができるが、天板３１を支持するために少なくとも２つの係止具３２を固定する。なお、係止具３２を天板３１に直接固定することもできるが、図２（ａ）に示すように、連結板３３を介して固定することもできる。この図に示す連結板３３は、板材を加工したものであって天板３１とほぼ同じ長さ（手摺２０の軸方向の寸法）であり、第１の水平板と、鉛直板、第２の水平板が連結した断面視が階段状のものである。第１の水平板を天板３１の背面（下面）に、鉛直板を天板３１の側面に、それぞれ当接してボルトや接着剤により取り付ける。第２の水平板は手摺２０と天板３１の間に介在し、この第２の水平板の一部に溶接等によって係止具３２が取り付けられる。なお、ここで説明した連結板３３の構成はあくまで一例であって、係止具３２を天板３１に固定できるものであれば種々の構造のものを利用できる。
【００２６】
係止具３２は手摺２０の外周を巻く（被せる）ように係止されると説明したが、これに代えて手摺２０の内部に挿入して係止させることもできる。図５は、係止具３２を手摺２０に内挿したテーブル３０を示す斜視図である。この図に示すテーブル３０も、図２（ａ）と同様に連結板３３を介して係止具３２が天板３１に固定されている。
【００２７】
図５の係止具３２を用いる場合、手摺２０の内部には空間が設けられており、この空間に係止具３２は挿入されるが、天板３１の回転を自由にするため手摺２０の軸周りの回転は固定しない。したがって、この場合の係止具３２は、断面視が円形の棒状あるいは管状のものであり、その外径は手摺２０の外形より小さい。なお、図５のように係止具３２を手摺２０に内挿させるケースでは、必ずしも手摺２０を円形断面とする必要はないが、円形を含め楕円形や多角形など握りやすい形状を選択することが望ましい。また、既述のとおりケーブル等を手摺２０内に収容する場合、係止具３２は管など中空構造のものを採用する。
【００２８】
４．テーブル支持体
図３に示すようにテーブル支持体４０は、天板３１の水平姿勢を維持するため、天板３１を下から支えるものである。テーブル支持体４０は、壁面や自立柱などに独立して取り付けることもできるが、図３のように手摺受け体２１に取り付けることもできる。ところで、テーブル３０を使用しないときは天板３１を下向きに垂下させるが、テーブル支持体４０があるとこれが障壁となって天板３１は下向きに回転することができない。そこで、図２（ｂ）に示すように、テーブル支持体４０は鉛直軸周りに回転できる構造とする。例えば、図３に示すように、蝶番などを利用してテーブル支持体４０を手摺受け体２１（支持板２１ｂ）に取り付ける。これにより、テーブル支持体４０が鉛直軸周りに回転可能となり、例えば壁面と略平行な状態とすることで、天板３１は障壁なく回転し垂下した状態で収納される。
【００２９】
テーブル支持体４０が鉛直軸周りに回転できると、テーブル３０の使用時、つまり水平状態の天板３１をテーブル支持体４０が支えている状態でも、テーブル支持体４０が回転して天板３１が不安定になることが考えられる。これを防止するため、テーブル支持体４０と天板３１による嵌合構造を設けることもできる。具体的には、図２（ａ）や図３に示すように、天板３１の背面（水平姿勢における下面）に他よりも窪んだ溝部３１ａを設け、テーブル支持体４０の上部に他よりも上方に突出した凸部４１ａを設ける。この天板３１の溝部３１ａにテーブル支持体４０の凸部４１ａを嵌め込めば、テーブル支持体４０は水平方向に安定し、その結果天板３１も安定するわけである。
【００３０】
５．回転テーブル付き手摺の形状
本願発明のテーブル支持体１０の形状の一例を、図６〜図９に示す。図６は、テーブル３０が水平姿勢となった状態の本願発明の回転テーブル付き手摺１０を説明する図であり、（ａ）は上方から見た平面図、（ｂ）は下方から見た底面図、（ｃ）は右横から見た右側面図である。図７も、図６と同じくテーブル３０が水平姿勢となった状態の本願発明の回転テーブル付き手摺１０を説明する図であり、（ａ）は正面から見た正面図、（ｂ）は後方から見た背面図、（ｃ）は（ａ）に示すＡ−Ａ矢視の断面図である。また、図８はテーブル３０を下方に垂下させた状態の断面図であり、図９はテーブル３０の使用状態を示す参考図である。
【産業上の利用可能性】
【００３１】
本願発明の回転テーブル付き手摺は、病院や診療所のリハビリ室のほか、高齢者が利用する介護施設や、体操やバレエといった競技の練習場所などにも利用することができる。
【符号の説明】
【００３２】
１０    回転テーブル付き手摺
２０    手摺
２１    手摺受け体
２１ａ  （手摺受け体の）受け部
２１ｂ  （手摺受け体の）支持板
２１ｃ  （手摺受け体の）当て板
３０    テーブル
３１    （テーブルの）天板
３１ａ  （天板の）溝部
３２    （テーブルの）係止具
３３    （テーブルの）連結板
４０    支持体
４１    （支持体の）凸部
【図１】
2015124507.tif 000003
【図２】
2015124507.tif 000004
【図３】
2015124507.tif 000005
【図４】
2015124507.tif 000006
【図５】
2015124507.tif 000007
【図６】
2015124507.tif 000008
【図７】
2015124507.tif 000009
【図８】
2015124507.tif 000010
【図９】
2015124507.tif 000011